(57)【特許請求の範囲】
【請求項１】
機器を使用して発生した熱、水力若しくは風力、または太陽光のうちの少なくとも一のエネルギーを電力に変換する発電手段と、
上記発電された電力を一時的に蓄電する副蓄電手段と、
上記副蓄電手段よりも自己放電量が小さい主蓄電手段とを備え、
上記副蓄電手段に蓄えられた電力を上記主蓄電手段に移動させて蓄電し、上記主蓄電手段の電力により上記機器の負荷を駆動することを特徴とする蓄電制御装置。
【請求項２】
上記主蓄電手段として、マンガン・リチウム蓄電池を用いたことを特徴とする請求項１記載の蓄電制御装置。
【請求項３】
上記副蓄電手段として、コンデンサまたはニッケル・カドミウム蓄電池またはニッケル・水素蓄電池またはリチウムイオン蓄電池を用いたことを特徴とする請求項１または２記載の蓄電制御装置。
【請求項４】
上記副蓄電手段の基準電位を上記主蓄電手段の正極の電位以上としたことを特徴とする請求項１ないし３の何れかに記載の蓄電制御装置。
【請求項５】
上記主蓄電手段と上記副蓄電手段との間にスイッチング手段を設けて、該副蓄電手段に蓄えられた電力を間欠的に該主蓄電手段に移動させることを特徴とする請求項１ないし４の何れかに記載の蓄電制御装置。
【請求項６】
上記発電手段が発電中の場合には、その電力と上記主蓄電手段に既に蓄えられている電力との両方の電力により上記機器の負荷を駆動することを特徴とする請求項１ないし５の何れかに記載の蓄電制御装置。
【請求項７】
上記機器はバーナを有するガス燃焼機器であり、上記発電手段はバーナの燃焼熱により発電する熱発電素子であり、当該熱発電素子より発電され、上記副蓄電手段を介して主蓄電手段に蓄電された電力により、上記負荷としてのバーナの燃焼制御を行うことを特徴とする請求項１ないし６の何れかに記載の蓄電制御装置。
【発明の詳細な説明】
【０００１】
【発明の属する技術分野】
本発明は蓄電池の電力により機器を駆動させる蓄電制御装置に関する。
【０００２】
【従来の技術】
従来から、バーナの燃焼熱を利用して発電し、電気的負荷を作動させるガス炊飯器等の燃焼機器が知られている。こうした燃焼機器では、燃焼中は発電素子の電力で電気的負荷の駆動を賄えるが、点火開始時においては所定の電力が得られないため蓄電池を搭載し、燃焼中にこの蓄電池に充電しておき、点火動作に必要な電力を賄うよう構成されている。
【０００３】
【発明が解決しようとする課題】
ところで、こうした蓄電池は、その種類によって充電する際に流せられる電流、つまり充電電流の大きさが異なり、ニッケル・カドミウム、ニッケル・水素、リチウムイオンのような充電電流が大きくできる（例えば０．２ＣｍＡ、容量Ｃが６００ｍＡｈならば１２０ｍＡ）蓄電池は、開路状態で放置していても蓄電された電力を短期間に失うという欠点がある。具体的には１ヵ月で２０〜３０％程度の自己放電をする。つまり満充電をした時点から約８〜１２ヵ月後には蓄電池の電力は無くなってしまう。
従って、このような充電電流の大きい蓄電池を満充電して機器を工場出荷しても、その電力は、機器の在庫期間中（例えば半年から１年半の間）に減少し続け、機器が使用者に届けられる頃には無くなっている恐れがある。
この課題を解決するために、機器の使用開始時に使用者がマンガン乾電池等の一次電池により充電する等の方法が考えられるが、充電には４〜５時間程度必要なので、非常に手間がかかり、使用勝手上好ましくない。
【０００４】
一方、マンガン・リチウムのような充電電流が小さい（例えば０．０１ＣｍＡ、容量Ｃが２００ｍＡｈならば２ｍＡ）蓄電池では、自己放電量が少ないため、そうした蓄電容量切れといった不具合は無いものの、短時間で大量の電力を充電できない。つまり、充電電流が小さいため燃焼中に熱発電素子から得られた電力の一部しか充電できず、燃焼時間によっては一回の燃焼の間に次回の点火動作に必要な電力を充電することができないケースが生じる。
【０００５】
本発明の蓄電制御装置は上記課題を解決し、発電した電力を有効に利用でき、しかも蓄電容量切れといった不具合のない機器を提供することを目的とする。
【０００６】
【課題を解決するための手段】
上記課題を解決する本発明の請求項１記載の蓄電制御装置は、
機器を使用して発生した熱、水力若しくは風力、または太陽光のうちの少なくとも一のエネルギーを電力に変換する発電手段と、
上記発電された電力を一時的に蓄電する副蓄電手段と、
上記副蓄電手段よりも自己放電量が小さい主蓄電手段とを備え、
上記副蓄電手段に蓄えられた電力を上記主蓄電手段に移動させて蓄電し、上記主蓄電手段の電力により上記機器の負荷を駆動することを要旨とする。
【０００７】
また、本発明の請求項２記載の蓄電制御装置は、上記請求項１記載の蓄電制御装置において、
上記主蓄電手段として、マンガン・リチウム蓄電池を用いたことを特徴とする請求項１または２記載の蓄電制御装置。
上記発電された電力と上記主蓄電手段に既に蓄えられている電力との両方の電力により上記機器の負荷を駆動することを要旨とする。
【０００８】
また、本発明の請求項３記載の蓄電制御装置は、上記請求項１または２記載の蓄電制御装置において、
上記副蓄電手段として、コンデンサまたはニッケル・カドミウム蓄電池またはニッケル・水素蓄電池またはリチウムイオン蓄電池を用いたことを要旨とする。
【０００９】
また、本発明の請求項４記載の蓄電制御装置は、上記請求項１ないし３の何れかに記載の蓄電制御装置において、
上記副蓄電手段の基準電位を上記主蓄電手段の正極の電位以上としたことを要旨とする。
【００１０】
また、本発明の請求項５記載の蓄電制御装置は、上記請求項１ないし４の何れかに記載の蓄電制御装置において、
上記主蓄電手段と上記副蓄電手段との間にスイッチング手段を設けて、該副蓄電手段に蓄えられた電力を間欠的に該主蓄電手段に移動させることを要旨とする。
【００１１】
また、本発明の請求項６記載の蓄電制御装置は、上記請求項１ないし５の何れかに記載の蓄電制御装置において、
上記発電手段が発電中の場合には、その電力と上記主蓄電手段に既に蓄えられている電力との両方の電力により上記機器の負荷を駆動することを要旨とする。
【００１２】
また、本発明の請求項７記載の蓄電制御装置は、上記請求項１ないし６の何れかに記載の蓄電制御装置において、
上記機器はバーナを有するガス燃焼機器であり、上記発電手段はバーナの燃焼熱により発電する熱発電素子であり、当該熱発電素子より発電され、上記副蓄電手段を介して主蓄電手段に蓄電された電力により、上記負荷としてのバーナの燃焼制御を行うことを要旨とする。
【００１３】
上記構成を有する本発明の請求項１記載の蓄電制御装置は、機器を使用して発生したエネルギーを電力に変換して発電し、その発電された電力を副蓄電手段で一時的に蓄え、副蓄電手段が自己放電する前に、副蓄電手段に蓄えられた電力を主蓄電手段に移動させ蓄電して、主蓄電手段の電力により機器の負荷を駆動する。機器の作動が停止し、発電が停止しても、副蓄電手段に蓄えられた電力を主蓄電手段に移動させる。従って、自己放電量が小さいため充電電流を大きくできない主蓄電手段であっても、十分に蓄電できる。。
また、主蓄電手段は、自己放電量が小さいため、蓄電された電力を長期間、蓄え続ける。
【００１４】
上記構成を有する本発明の請求項２記載の蓄電制御装置は、主蓄電手段として、マンガン・リチウム蓄電池を用いたことにより、副蓄電手段で蓄えられた電力を主蓄電手段に移動させ、自己放電を極力抑えて、より長い期間、電力を蓄え続ける。
【００１５】
上記構成を有する本発明の請求項３記載の蓄電制御装置は、副蓄電手段として、コンデンサまたはニッケル・カドミウム蓄電池、ニッケル・水素蓄電池、リチウムイオン蓄電池を用いたことにより、発電された電力を副蓄電手段で短時間により多く蓄え、副蓄電手段が自己放電する前に、その電力を自己放電量の小さい主蓄電手段に移動させ蓄電して、機器の負荷を駆動させる。機器の作動が停止しても、主蓄電手段は、自己放電量が小さいため、蓄電された大量の電力を長期間、蓄え続ける。
【００１６】
上記構成を有する本発明の請求項４記載の蓄電制御装置は、副蓄電手段の基準電位を主蓄電手段の正極の電位以上としたことにより、主蓄電手段への充電回路の電位差を大きく取ることができ、副蓄電手段で蓄えられた電力の大半を主蓄電手段に移動させるため、副蓄電手段の電力を有効に利用し、主蓄電手段に更に多くの電力を蓄えさせる。
【００１７】
上記構成を有する本発明の請求項５記載の蓄電制御装置は、主蓄電手段と副蓄電手段との間にスイッチング手段を設けて、スイッチング手段のオン・オフを繰り返すことにより、充電電流を大きくすることができ、非常に多くの電力を短時間で副蓄電手段から主蓄電手段に移動させる。
【００１８】
上記構成を有する本発明の請求項６記載の蓄電制御装置は、機器の使用により発電された電力を副蓄電手段を介して主蓄電手段に蓄電して、その主蓄電手段の電力により機器の負荷を駆動するが、発電中においては、その電力と主蓄電手段に既に蓄えられている電力との両方で、機器の負荷を駆動する。この結果、主蓄電手段の電力消費を抑えることができる。
【００１９】
上記構成を有する本発明の請求項７記載の蓄電制御装置は、ガス燃焼機器に用いられ、熱発電素子によりバーナの燃焼熱から発電して、発電された電力を副蓄電手段を介して主蓄電手段に蓄電して、その蓄電された電力によりバーナの燃焼制御を行う。燃焼が停止して発電が停止しても、主蓄電手段は、自己放電量が小さいため、蓄電された電力を長期間、蓄え続ける。
【００２０】
【発明の実施の形態】
以上説明した本発明の構成・作用を一層明らかにするために、以下本発明の蓄電制御装置の好適な実施形態について説明する。
【００２１】
《第１実施形態》
本発明の第１実施形態としての蓄電制御装置を備えたガス炊飯器について図１を用いて説明する。
ガス炊飯器は大別して燃焼部１０と、コントローラ２０とから構成される。
【００２２】
燃焼部１０は、ガスを燃焼して内釜１８を加熱するバーナ１１と、バーナ１１へガスを供給するガス導管１２と、点火、消火操作により開閉する自己保持型電磁弁１３と、点火操作によりプッシュソレノイドの押動で開弁し後述する熱電対１７の起電力により吸着用コイル１４ａに通電して吸着開弁状態を保持するマグネット電磁弁１４と、高電圧が印加されることでスパークする電極１５と、燃焼炎に加熱されることにより熱起電力を発生する複数の熱電対を直列接続した熱発電素子１６と、バーナ１１の燃焼中に熱起電力を発生してマグネット電磁弁１４を開弁保持する熱電対１７と、内釜１８の釜底の温度を検出する釜底センサ１９とを備える。
【００２３】
コントローラ２０は、熱発電素子１６から発生した熱起電力を昇圧する昇圧回路２１と、昇圧された電力が最初に一時的に蓄えられるコンデンサ２３と、コンデンサ２３に蓄えられた電力を充電する蓄電池２２と、コンデンサ２３への充電電流を制限する制限抵抗Ｒ１と、蓄電池２２への充電電流を制限する制限抵抗Ｒ２と、点火スパーク用高電圧を発生するイグナイタ２４と、燃焼制御を司るマイコン２５と、自己保持型電磁弁１３，マグネット電磁弁１４，イグナイタ２４を駆動する負荷駆動回路２６とを備える。
【００２４】
蓄電池２２には、マンガン・リチウム蓄電池を用いる。これは、充電電流が０．０１ＣｍＡと小さく、また自己放電量は年に約２％と小さくて、１日当たりの自己放電量は無視できる。従って、ガス炊飯器を５年間程度の長期にわたって未使用でも、蓄電池２２の容量切れは生じないので、炊飯を行うことができる。
尚、蓄電池２２の電圧は、約３Ｖである。
一方、コンデンサ２３には、電気二重層コンデンサを用いる。このコンデンサ２３の充電電流は０．２ＣｍＡと大きく、また自己放電量は月に２０〜３０％と大きい。
また、昇圧回路２１は、熱発電素子１６から発生した熱起電力（１Ｖ程度）を蓄電池２２に充電できるレベル（５Ｖ程度）まで昇圧する。昇圧回路２１は自身の出力した電力を電源として駆動するが、十分な出力が得られるまでは他に電源を必要とするため、点火時には蓄電池２２から駆動用電力を得る。
【００２５】
次に、このガス炊飯器の動作について説明する。図示しない操作部の炊飯スイッチの入力操作により、蓄電池２２は、マイコン２５と負荷駆動回路２６とに電力を供給する。電力が供給されたマイコン２５は、負荷駆動回路２６に制御信号を出力して自己保持型電磁弁１３とマグネット電磁弁１４とを開弁させてガスをガス導管１２からバーナ１１へ供給すると共に、イグナイタ２４を所定時間駆動して、電極１５のスパークによりバーナ１１に点火する。
【００２６】
昇圧回路２１は、自身の出力を電源として動作するため、最初は他から電源供給を必要とするが、蓄電池２２の充電電圧（３Ｖ）により、動作を開始する。
こうして、バーナ１１の燃焼熱により熱発電素子１６から１Ｖ程度の熱起電力が発生し、昇圧回路２１により５Ｖ程度に昇圧される。
【００２７】
その後、熱発電素子１６から発生する熱起電力の上昇に伴って、コンデンサ２３と蓄電池２２と各々に電力を供給する。
【００２８】
バーナ１１の燃焼により内釜１８内の米が加熱されて炊飯が行われ、内釜１８の水分が無くなり、釜底センサ１９が所定の炊き上げ温度を検出した時、マイコン２５は、炊飯が完了したと判断して、自己保持型電磁弁１３を閉弁して、バーナ１１の燃焼を停止する。これにより、燃焼中に継続していた熱発電素子１６からコンデンサ２３や蓄電池２２への電力供給が停止される。
【００２９】
次に、コンデンサ２３や蓄電池２２の充電の仕組みについて説明する。
熱発電素子１６から発生した１Ｖ程度の熱起電力は、昇圧回路２１で５Ｖに昇圧される。
ガス炊飯器の負荷が小さい場合には、昇圧回路２１から発電された熱起電力は、コンデンサ２３と蓄電池２２とに充電されると共に、マイコン２５と負荷駆動回路２６とへ供給されてガス炊飯器の負荷を駆動する。
また、負荷が大きい場合には、駆動電流がより多く必要なので、蓄電池２２とコンデンサ２３とからも負荷駆動回路２６へ電力を供給する。
【００３０】
次に、コンデンサ２３に充電される電力について説明する。
炊飯中、コンデンサ２３には、１２０ｍＡの大きな充電電流が流れ、大きな電力を一時的に蓄電する。炊飯が１５分で完了する場合、コンデンサ２３に蓄えられる電力（エネルギー）は、
５Ｖ×１２０ｍＡ×１５ｍｉｎ／６０ｍｉｎ／ｈ＝１５０ｍＷ・ｈ
により、１５０ミリワット時（ｍＷ・ｈ）となる。
【００３１】
コンデンサ２３への充電と並行して、炊飯中には昇圧回路２１から制限抵抗Ｒ２を介して直接蓄電池２２へ充電される。蓄電池２２は、自己放電量が小さいため、充電電流が小さく、２ｍＡとすると、
３Ｖ×２ｍＡ×１５ｍｉｎ／６０ｍｉｎ／ｈ＝１．５ｍＷ・ｈ
により、１．５ｍＷ・ｈとなる。
【００３２】
また、炊飯完了後（つまり発電終了後）は、電圧５Ｖのコンデンサ２３から制限抵抗Ｒ１、Ｒ２を介して電圧３Ｖの蓄電池２２へ電力が徐々に移動し、コンデンサ２３の電圧（５Ｖ）が下降して蓄電池２２の電圧（３Ｖ）に等しくなった時点で蓄電池２２の充電は終了する。蓄電池２２の充電電流は小さいため、制限抵抗Ｒ２により電流の流入を制限して蓄電池２２を保護している。
【００３３】
蓄電池２２へ移動する電力は、以下のように算出される。
５Ｖのコンデンサ２３と３Ｖの蓄電池２２との電位差は２Ｖであるため、コンデンサ２３の５分の２の電力、つまり、
１５０ｍＷ・ｈ×２Ｖ／５Ｖ＝６０ｍＷ・ｈ
により、６０ｍＷ・ｈの電力が蓄電池２２へ移動する。
従って、炊飯中と炊飯後との合計の６１．５ｍＷ・ｈの電力が蓄電池２２に充電される。
【００３４】
次に、蓄電池２２の放電量について説明する。
炊飯を１回行うと、約４ｍＷ・ｈの電力を消費する。また、時計や予約タイマー等を作動させると、１日当たり、約６ｍＷ・ｈの電力を消費する。また、蓄電池２２は、年２％で自己放電するため、１日当たり、約０．０４ｍＷ・ｈという無視できるほど小さい放電量で自己放電する。
【００３５】
例えば、ガス炊飯器の工場出荷時に蓄電池２２に７２０ｍＷ・ｈの電力を満充電した場合、出荷から２年後に初めて使用者が炊飯を行う場合には、蓄電池２２は、４％分、自己放電をしていたので、２８．８ｍＷ・ｈの電力が消費され、残っている電力は、６９１．２ｍＷ・ｈとなる。
毎日１回炊飯を行うと、１日当たり、６１．５ｍＷ・ｈの電力が充電されると共に、１０ｍＷ・ｈの電力が放電されるため、差引き、５１．５ｍＷ・ｈの電力が充電されることになる。従って、未使用期間が２年間でも炊飯が可能であり、しかも使用者が１回炊飯するだけで蓄電池２２を満充電することができる。
また、炊飯を１回行っただけで、その後炊飯を行わない場合には、時計等は作動し続けるため、６ｍＷ・ｈの電力を放電する。
７２０ｍＷ・ｈ／６ｍＷ・ｈ／日＝１２０日
により、１２０日、つまり４ヵ月間はガス炊飯器を使用しなくても蓄電池２２は蓄電している。
【００３６】
以上説明したように第１実施形態のガス炊飯器によれば、コンデンサ２３には、充電電流の大きな電気二重層コンデンサを用いて短時間で大量に充電し、炊飯完了後の時間を使って、コンデンサ２３が自己放電する前に、蓄電池２２にコンデンサ２３の電力を徐々に移動して大量に充電し、しかも蓄電池２２には、マンガン・リチウム蓄電池を用いて自己放電を抑えているため、点火時に必要な電力が残っていないといった不具合を防ぐことができる。
また、熱発電素子１６から発生した熱起電力が十分上昇するまでは、蓄電池２２が放電して昇圧回路２１に電力を供給するため、点火直後でも昇圧回路は正常に作動する。
また、自己放電量の大きいコンデンサと自己放電量の小さい蓄電池とを備えるといった簡単な構成で、長期間、蓄電できるので低コストである。
【００３７】
《第２実施形態》
本発明の第２実施形態としての蓄電制御装置を備えたガス炊飯器について図２を用いて説明する。
燃焼部１０の構成は、第１実施形態のガス炊飯器（図１）と同一であるが、コントローラの構成においては、スイッチング素子ＳＷを３箇所に設け、昇圧回路を更に１つ増やした点のみ異なる。第１実施形態のガス炊飯器と重複する構成に関しては同一符号を付し、その説明を省略する。本形態では、第１実施形態の昇圧回路２１を第１昇圧回路２１と呼ぶ。
【００３８】
コントローラ３０は、第１実施形態のコントローラ２０の構成部品と、蓄電池２２に充電された電力を昇圧することによりコンデンサ２３の負極の電位（基準電位）を上昇させる第２昇圧回路と、３つのスイッチング素子ＳＷとから構成される。
これらのスイッチング素子ＳＷには、バイポーラトランジスタを用い、エミッタとマイコン２５に接続したベースとの電位差が約０．６Ｖを越えると、エミッタからコレクタにキャリアとして電子または正孔が流れ込み、スイッチがオンになるというものである。
スイッチング素子ＳＷ１は、そのエミッタを第１昇圧回路２１に、コレクタを制限抵抗Ｒ１に接続したＰＮＰバイポーラトランジスタで、第１昇圧回路２１で昇圧された電力を蓄電池２２やコンデンサ２３へ供給する際にオンをする。
また、スイッチング素子ＳＷ３は、そのエミッタを接地し、コレクタをコンデンサ２３の負極に接続したＮＰＮバイポーラトランジスタである。
また、スイッチング素子ＳＷ２は、そのエミッタを第２昇圧回路２７に、コレクタをコンデンサ２３の負極とスイッチング素子ＳＷ３との間に接続したＰＮＰバイポーラトランジスタで、オンすると、第２昇圧回路２７での昇圧によりコンデンサ２３の基準電位を上昇させる。
【００３９】
次に、コンデンサ２３や蓄電池２２の充電の仕組みについて説明する。
炊飯中（発電中）および充電終了後の通常状態では、マイコン２５によりスイッチング素子ＳＷ１とＳＷ３とをオンに、ＳＷ２をオフにする。つまり、第１実施形態と同じ状態にする。
従って、熱発電素子１６から発生した１Ｖ程度の熱起電力は、第１昇圧回路２１で５Ｖに昇圧された後、制限抵抗Ｒ１を介してコンデンサ２３と、制限抵抗Ｒ２を介して蓄電池２２，マイコン２５，負荷駆動回路２６とへ供給され、ガス炊飯器の負荷を駆動する。
【００４０】
炊飯完了後、マイコン２５は、スイッチング素子ＳＷを切り替えて、ＳＷ１とＳＷ３とをオフにし、ＳＷ２をオンにする。
従って、第２昇圧回路２７は、蓄電池２２の電圧３Ｖから昇圧することにより、スイッチング素子ＳＷ２を介して、コンデンサ２３の基準電位を４Ｖに上昇させる。このようにしてコンデンサ２３の基準電位４Ｖは、蓄電池２２の正極の電位３Ｖよりも大きくなる。この結果、コンデンサ２３で蓄えられた電力の大半は、蓄電池２２に移動される。
この結果、炊飯完了時にコンデンサ２３に蓄えられる電力は、第１実施形態と同量の１５０ｍＷ・ｈで、その電力の大半が蓄電池２２へ移動する。これは、第１実施形態の蓄電池２２の電力（６０ｍＷ・ｈ）の２．５倍である。
【００４１】
また、炊飯中にも第１昇圧回路２１から制限抵抗Ｒ２を介して直接蓄電池２２へ１．５ｍＷ・ｈ充電されるので、蓄電池２２には合計の１５１．５ｍＷ・ｈという大きな電力が充電されることになる。
【００４２】
以上説明したように第２実施形態のガス炊飯器によれば、第１実施形態の効果に加えて、コンデンサ２３の基準電位を蓄電池２２の正極の電位以上としたことにより、コンデンサ２３で蓄えられた電力の大半を蓄電池２２に移動させて充電するため、コンデンサ２３の電力を有効に利用できて経済的であり、しかも、蓄電池２２に大量の電力を蓄電させることができる。
【００４３】
《第３実施形態》
本発明の第３実施形態としての蓄電制御装置を備えたガス炊飯器について図３を用いて説明する。
燃焼部１０の構成は第２実施形態のガス炊飯器（図２）と同一であるが、コントローラの構成においては、スイッチング素子ＳＷを更に１つ増やした点のみ異なる。第２実施形態のガス炊飯器と重複する構成に関しては同一符号を付し、その説明を省略する。
【００４４】
コントローラ３１は、第２実施形態のガス炊飯器のコントローラ２０の構成部品と、スイッチング素子ＳＷ４とから構成される。
スイッチング素子ＳＷ４には、ＰＮＰバイポーラトランジスタを用い、そのエミッタをスイッチング素子ＳＷ１のコレクタと制限抵抗Ｒ１との間に、コレクタを制限抵抗Ｒ２に、ベースをマイコン２５に接続する。
マイコン２５は、スイッチング素子ＳＷ４のベースにデューティ５０％のパルス信号を出力し、スイッチング素子ＳＷ４をオン・オフさせる。
スイッチング素子ＳＷ４がオフの時は、コンデンサ２３に蓄えられた電力は蓄電池２２へ移動しないが、オン・オフを繰り返すことにより、蓄電池２２にコンデンサ２３の電力を大量に短時間で充電させることが知られている。
【００４５】
次に、コンデンサ２３や蓄電池２２の充電の仕組みについて説明する。
蓄電池２２は、マンガン・リチウム蓄電池を用いているため、通常、直流電流（ＤＣ）では、２ｍＡの充電電流が流れる。ところが、これを間欠的に（パルスで）充電すると約１０倍の充電電流となる２０ｍＡ程度が流せる。パルスのデューティ比は、５０％なので、充電電流は平均１０ｍＡとなる。
従って、蓄電池２２の電圧は３Ｖなので、１５１．５ｍＷ・ｈの電力を移動するのに必要な時間は、
ＤＣでは、    １５１．５ｍＷ・ｈ／（２ｍＡ×３Ｖ）＝２５．３ｈ
パルスでは、  １５１．５ｍＷ・ｈ／（１０ｍＡ×３Ｖ）＝５．１ｈ
となり、ＤＣで電力を移動するには１日以上かかるため、翌日に炊飯を行った場合、コンデンサ２３の大半の電力が蓄電池２２へ移動する前に、再びコンデンサ２３に蓄電が開始されるため、有効にコンデンサ２３の電力を使えない。
しかし、パルスでは、約５時間で充電が完了するので、１日２回炊飯する場合でもコンデンサ２３の電力を有効に使うことができる。
【００４６】
以上説明したように第３実施形態のガス炊飯器によれば、第２実施形態の効果に加えて、スイッチング素子ＳＷ４により、コンデンサ２３で蓄えられた電力を短時間でより多く、蓄電池２２に移動することができる。
また、約５時間という短時間で蓄電池２２の充電が完了するので、コンデンサ２３の電力を有効に利用でき、経済的である。
【００４７】
以上本発明の実施形態について説明したが、本発明はこうした実施形態に何等限定されるものではなく、例えばガス炊飯器以外の蓄電制御装置にも適用することができ、本発明の要旨を逸脱しない範囲において、種々なる態様で実施し得ることは勿論である。
例えば、副蓄電手段として、ポリアセン系有機半導体コンデンサ等の有機半導体コンデンサを用いても構わないし、またニッケル・カドミウム蓄電池、ニッケル・水素蓄電池、リチウムイオン蓄電池等の蓄電池を用いてもよい。
また、スイッチング素子には、電界効果トランジスタ（ＦＥＴ）や、リレーを用いてもよい。
また、主蓄電手段は、用途に合わせてセル（蓄電池）の数を増やしてもよい。
また、太陽光による発電を用いてもよいし、給湯器に適用した場合には、通水による発電やファンの風力による発電を用いてもよい。
【００４８】
【発明の効果】
以上詳述したように、本発明の請求項１記載の蓄電制御装置によれば、発電された電力を副蓄電手段で一時的に蓄え、その電力を主蓄電手段に移動させ蓄電して、機器の作動が停止しても、副蓄電手段に蓄えられた電力を主蓄電手段に移動させるため、発電電力を有効に蓄電することができる。
また、主蓄電手段は、自己放電量が小さく、蓄電された電力を長期間、蓄え続けることができるため、機器の未使用期間が長くても、他の電力供給を受けずに、機器を駆動することができる。
【００４９】
更に、本発明の請求項２記載の蓄電制御装置によれば、主蓄電手段として、マンガン・リチウム蓄電池を用いたことにより、副蓄電手段で蓄えられた電力を主蓄電手段に移動させ、自己放電を極力抑えて、より長い期間、電力を蓄え続けることができる。この結果、機器の未使用期間がとても長くても、他の電力供給を受けずに、機器を駆動することができる。
【００５０】
更に、本発明の請求項３記載の蓄電制御装置によれば、副蓄電手段として、コンデンサまたはニッケル・カドミウム蓄電池またはニッケル・水素蓄電池またはリチウムイオン蓄電池を用いたことにより、副蓄電手段は発電された電力を短時間に、より多く蓄えて、その電力を主蓄電手段に移動させて蓄電することができるため、機器の作動が停止しても、主蓄電手段は、蓄電された大量の電力を長期間、蓄え続けることができる。
この結果、機器を１回使用後の未使用期間が長くても、他の電力供給を受けずに、機器を駆動することができる。
【００５１】
更に、本発明の請求項４記載の蓄電制御装置によれば、副蓄電手段の基準電位を主蓄電手段の正極の電位以上としたことにより、副蓄電手段で蓄えられた電力の大半を主蓄電手段に移動させて蓄電することができるため、副蓄電手段の電力を有効に利用できて経済的である。
また、主蓄電手段に更に多くの電力を蓄えさせることができるため、機器を１回使用後の未使用期間が非常に長くても、他の電力供給を受けずに、機器を駆動することができる。
【００５２】
更に、本発明の請求項５記載の蓄電制御装置によれば、主蓄電手段と副蓄電手段との間にスイッチング手段を設けて、スイッチング手段のオン・オフを繰り返すことにより、非常に多くの電力を短時間で副蓄電手段から主蓄電手段に移動させることができるため、機器を頻繁に使用する場合でも、副蓄電手段に蓄えられた電力を有効に利用することができて経済的である。
【００５３】
更に、本発明の請求項６記載の蓄電制御装置によれば、発電中においては、その電力と主蓄電手段に蓄電された電力との両方により機器の負荷を駆動するため、主蓄電手段の電力消費を抑えることができる。
この結果、機器を１回使用後の未使用期間が長くても、他の電力供給を受けずに、機器を駆動することができる。
【００５４】
更に、本発明の請求項７記載の蓄電制御装置によれば、ガス燃焼機器に用いられ、バーナの燃焼熱から発電された電力を副蓄電手段を介して主蓄電手段に蓄電して、その蓄電された電力によりバーナの燃焼制御を行うため、制御のための電力をガス燃焼機器自身で賄って、エネルギーを有効に使うことができ経済的である。
【図面の簡単な説明】
【図１】本発明の第１実施形態としてのガス炊飯器の概略構成図である。
【図２】本発明の第２実施形態としてのガス炊飯器の概略構成図である。
【図３】本発明の第３実施形態としてのガス炊飯器の概略構成図である。
【符号の説明】
１０…燃焼部、  １１…バーナ、  １３…自己保持型電磁弁、
１４…マグネット電磁弁、  １６…熱発電素子、  ２０…コントローラ、
２１…第１昇圧回路、  ２２…蓄電池、  ２３…コンデンサ、
２５…マイコン、  ２６…負荷駆動回路、  ２７…第２昇圧回路、
Ｒ１、Ｒ２…制限抵抗、  ＳＷ１〜４…スイッチング素子。
【図１】
0004338154.tif 000002
【図２】
0004338154.tif 000003
【図３】
0004338154.tif 000004